(57)【要約】【課題】ユーザーにより軽快な運用や設定できるキーボードを提供する。【解決手段】一種マルチメディアキーボードであり、主に一般文字キー及び特殊機能キーからなり、そのうち、該特殊機能キーはマウスカット編集エリアと、インターネットエリアと、マルチメディア再生エリアと、アプリケーションプログラムエリアと、電源管理エリアと、機能キー切り替えエリアと、ランプ表示エリアと、数字エリアとの八つの機能エリアに分けられ、且つその内部の電気回路構成のマイクロコンピュータの入出力ポートと接続されると共に、Ｅ２を先方案内コードに定義する第七類コード及びスキャンコードインターセプトプログラムを合わせることによって、機能キー切り替えエリアを利用し、Ｅ２の先方案内コードの変換を実行するかを選択することにより、コンピュータが該キーコードは伝統か或いは非伝統であるかを判別する識別段として供する。【選択図】　図４
2004021633.tif 000002
【特許請求の範囲】
【請求項１】
一種マルチメディアキーボードであり、主に一般文字キー及び特殊機能キーからなり、そのうち、該特殊機能キーはマウスカット編集エリアと、インターネットエリアと、マルチメディア再生エリアと、アプリケーションプログラムエリアと、電源管理エリアと、機能キー切り替えエリアと、ランプ表示エリアと、数字エリアとの八つの機能エリアに分けられ、且つその内部の電気回路構成のマイクロコンピュータの入出力ポートと接続されると共に、Ｅ２を先方案内コードに定義する第七類コード及びスキャンコードインターセプトプログラムを合わせることによって、機能キー切り替えエリアを利用し、Ｅ２の先方案内コードの変換を実行するかを選択することにより、コンピュータが該キーコードは伝統か或いは非伝統であるかを判別する識別段として供し、
該キーボードは特殊駆動ソフトを要らずに、ショートカットキーの機能を有し、且つ非伝統識別段を選択すると、新しい機能キーを拡充する効果を具し、ユーザーにより軽快な運用や設定を提供するキーボード。
【請求項２】
該機能キー切り替えエリアは、主要機能キー（ＦＮ）及び若干機能キーＦ１、Ｆ２〜Ｆ１２、Ｐｒｉｎｔ　　Ｓｃｒｅｅｎ、Ｓｃｒｏｌｌ　Ｌｏｃｋ、Ｐａｕｓｅ等のキーを含むことを特徴とする請求項１に記載のキーボード。
【発明の詳細な説明】
【０００１】
【発明の属する技術分野】
本発明はキーボードの特殊キーの設計に係わり、特にＥ２を先方案内コードに定義する第七類コード及びスキャンコードインターセプトプログラムを合わせることによって、機能キー切り替えエリアを利用し、Ｅ２の先方案内コードの変換を実行するかを選択することにより、コンピュータが該キーコードは伝統か或いは非伝統であるかを判別する識別段として供する。これにより、該キーボードは特殊駆動ソフトを要らずに、ショートカットキーの機能を有し、且つ非伝統識別段を選択すると、新しい機能キーを拡充する効果を具し、ユーザーにより軽快な運用や設定を提供できる発明である。
【０００２】
【従来の技術】
情報化製品は次々へと新品が提案されてゆく現在では、コンピュータ技術とアプリケーションプログラムとの分野では大した発展が実現されるようになっているが、従来の手動で操作するキーボード（図１参照）の分野では明らかな改良が見られないようになっている。現代化の設備は機能が強いことと操作方式が簡単であることを重要視しており、目前の現有のオペレーションシステムが操作と書類編集の面ではマウスを介して機能テーブルをクリックすることと肢体を移動することによってコマンドを入力する機能を実践するが、このようなオペレーションモードではかなりつらく且つ大した不便さを有するため、ユーザーが長期間に働くと、簡単に職業性傷害を招くようになり、且つ傷害される部位が大体肩と腕などの部分に集中する。
【０００３】
ある業者がユーザーのつらさに鑑みて、マーケットに従来のマルチメディアキーボード（図２参照）を提供し、即ち従来のスタンダードキーボードに多くの特殊機能のホットキー（Ｈｏｔ　Ｋｅｙ）を導入すると共に、所定のキーボード駆動ソフト（ドライバー）を合わせることによって、ウインドウズオペレーションシステムにおいて操作する場合では、ユーザーが特殊機能キーを押すと、対応するコマンド機能を実行できるようになり、しかしながら、使用する際、依然としてマウスの補助が必要であり、且つ手部及び腕部の移動の回数と距離も減少されることが見られなく、補助の効果にはかなり有限である。汎用ホットキー駆動ソフトでは、ホットキーの製作方法は：
キーボード本体が“Ｅ０ＸＸ”或いは指定コード（ｕｓａｇｅ　ｃｏｄｅ）を送信する時、ウインドウズ（ｗｉｎｄｏｗｓ（登録商標）　ＡＰＩ）が提供するＷｉｎＥｘｅｃ　　Ｏの函数方程式により、ファイルの所在及びアプリケーションプログラムファイル名を導入し、ただプログラムを呼び出し、各プログラムの内部コマンドを操作することはできず、且つ、ウインドウズの資源を多く占有する。
【０００４】
また、従来では、キーボード専門業者がウインドウズキーボードを提出したことがあり（図３参照）、即ち、キーボードを一般文字キーエリアと書類カット編集モジュールエリアとオフィスアプリケーションモジュールキーエリアとアプリケーションプログラムデザインモジュールキーエリアなどの４つのエリアに区分した。複数の組合せコードを利用しショートカットキーの機能に形成して、だが、該機能は“死”であり、簡単に駆動ソフトで機能を変更できず、若干のプログラムしか実行できず、それに、複数のキーを組合せ使用するため、ある種のソフト内で使用すると、予測できない状況が発生する。
【０００５】
そのため、前記のそれぞれの課題に鑑みて、本発明の発明者はその力を入れて研究開発を進め、とうとう一種のキーボードを提案した。それはＥ２を先方案内コードとする第七類コードに定義する及びスキャンコードインターセプトプログラムに合わせることによって、機能キー切り替えエリアを利用し、Ｅ２の先方案内コードの変換を実行するかを選択することにより、コンピュータが該キーコードは伝統か或いは非伝統であるかを判別する識別段として供する。これにより、該キーボードは特殊駆動ソフトを要らずに、ショートカットキーの機能を有し、且つ非伝統識別段を選択すると、新しい機能キーを拡充する効果を具し、ユーザーにより軽快な運用や設定を提供できる。
【０００６】
【発明が解決しようとする課題】
そのため、本発明は、一種特殊駆動ソフトが要らずに、ショートカットキーの機能を具し、且つ非伝統識別段を選択すると、新しい機能キーを拡充する効果を具し、ユーザーにより軽快な運用や設定を提供することをその主要な目的とする。
【０００７】
【課題を解決するための手段】
前記の目的を達成するために、本発明は、一種マルチメディアキーボードであり、主に一般文字キー及び特殊機能キーからなり、そのうち、該特殊機能キーはマウスカット編集エリアと、インターネットエリアと、マルチメディア再生エリアと、アプリケーションプログラムエリアと、電源管理エリアと、機能キー切り替えエリアと、ランプ表示エリアと、数字エリアとの八つの機能エリアに分けられ、且つその内部の電気回路構成のマイクロコンピュータの入出力ポートと接続されると共に、Ｅ２を先方案内コードに定義する第七類コード及びスキャンコードインターセプトプログラムを合わせることによって、機能キー切り替えエリアを利用し、Ｅ２の先方案内コードの変換を実行するかを選択することにより、コンピュータが該キーコードは伝統か或いは非伝統であるかを判別する識別段として供する。
【０００８】
これにより、該キーボードは特殊駆動ソフトを要らずに、ショートカットキーの機能を有し、且つ非伝統識別段を選択すると、新しい機能キーを拡充する効果を具し、ユーザーにより軽快な運用や設定を提供できるキーボードを供する。
【０００９】
【発明の実施の形態】
以下に添付図面を参照しながら本発明の目的、特徴及び効果を下記具体実施例で詳細に説明する。
【００１０】
本発明が定義するＥ２先方案内コードは、キーボード本体から送信し、例えばＥ２ＸＸＥ２Ｆ０ＸＸを送信するとき、既に編集されてオペレーションシステムの底層の核プログラムによってホットキー処理機能モジュールを形成し、それには常駐するソフトウェアの形成する指定キーコードインターセプト及びコード転換プログラムを有するべきである。例えば、ウインドウズオペレーションシステム（表１参照）において、元はやり直し（ｒｅｄｏ）を実行しようとする場合、まずＡＬＴとＥとを押しながら、Ｒを押すことによってその機能を実現する必要があるが、Ｅ２先方案内コードを利用したキーボードの場合、単に１つのキーを押すと、そのやり直しの機能を実現できる。
【００１１】
【表１】
2004021633.tif 000003
【００１２】
又、ＭＳ−ＤＯＳのオペレーションシステムにおいて、一般に漢字を入力する際に、漢字／英語入力の切り替えの場合では、ＣＴＲＬを押しながらＳＰＡＣＥキーを押す場合こそ漢字／英語の切り替えを完成できるが、本発明の場合では、Ｅ２ＸＸＥ２Ｆ０ＸＸキーを指定すると共に、指定キーコードインターセプト作用とコード転換プログラムを合わせると、指一本だけで快速的に切り換えの目的を達成できる。また、ｘウインドウズオペレーションシステム（即ちＬＩＮＵＸ）において、既に編集され且つオペレーションシステムの底層に配置される核プログラムによってホットキー処理機能モジュールを構成でき、それには常駐するソフトウェアの形成する指定キーコードインターセプトとコード転換のプログラムを有すべきであり、例えばＥ２ＸＸＥ２Ｆ０ＸＸキーを押すことによってＣＴＲＬ＋ＡＬＴ＋Ｆ１のモニタ切り換え作業を模擬する。また、ウインドウズオペレーションシステムにおいて、ＳＨＥＬＬＥＸＥＣ（　）関数方程式によって他の外来のプログラムを呼んで、外来プログラムを実行させる。例えば、Ｅ−ＭＡＩＬキーを押すと、Ｅ２０１Ｅ２Ｆ００１を送信し、この際に、常駐するプログラムがこのセットのコードを受信すると、それを転換すると共に、ＳＨＥＬＬＥＸＥ（）方程式によって“Ｃ：￥ＰＲＯＧＲＡＭ　ＦＩＬＥＳ￥ＯＵＴＬＯＯＫ　ＥＸＰＲＥＳＳ￥ＭＳＩＭＮ．ＥＸＥ”を呼ぶと、Ｅ−ＭＡＩＬを実行できるようになる。このことによってキーボードに総合入力機能を付与でき、且つユーザーに直接にコンピュータオペレーションシステムにおいてプロの、利便性を有する操作や書類編集を実行させることができ、複数のキーの組み合わせ或いはマウス補助等操作を暗記すること不要になる効果を実現できる。
【００１３】
本発明である、マルチメディアキーボードのショートカットキースキャンコードの結構は：Ｅ２を先方案内コードとして、さらにスタンダードキーのコードを添え、下記の表２に示したとおり：
【００１４】
【表２】
2004021633.tif 000004
【００１５】
又、Ｅ２を先方案内コードとして、さらに複数のキーコードを添え、新しいキースキャンコードに形成し、例えば：
【００１６】
【表３】
2004021633.tif 000005
【００１７】
表２から分かるように、Ｅ２先方案内コードを利用し、すべてのキースキャンコードを伝統識別段と非伝統識別段に分ける。いわゆる伝統識別段は、特殊駆動ソフトが要らずにコンピュータが自動的にコードを判別できる；非伝統識別段では、特殊のインターセプトコードスキャンプログラムを必要し、然もないとコンピュータが該段のキースキャンコードを無視してしまう。
【００１８】
従って、特殊の駆動ソフトが要らずにショートカットキーの機能を具し、且つ簡単な改正機能も具備し、即ち、Ｅ２を先方案内コードとしての全てのＥ２キーコードを一体とする、さらに伝統的なプログラミングを利用し、キーボード本体から“Ｅ２　ＸＸ…ＸＸ”或いは指定コード（ｕｓａｇｅ　ｃｏｄｅ）を送信し、ウインドウズシステム（Ｗｉｎｄｏｗｓ（登録商標））の登録データーベースにより機能の設定を行い、さらにウインドウズＷｉｎｄｏｗｓ（登録商標）　ＡＰＩが提供するＳＨＥＬＬＥＸＣＵＴ（）或いはＣＲＥＡＴＥＰＲＯＣＥＳＳの関数方程式により、ファイルの所在及びアプリケーションプログラムファイル名を導入することから、該コントロールキーには迅速に書類編集機能及びマルチメディア機能、或いは他の制御機能を兼備する。
【００１９】
これにより、本発明のキーボードは、応用的には伝統なキーボード或いはマルチメディアキーボード、或いはいわゆるウインドウズキーボードが有する“死的機能”に比べ、より便利性を有し、且つユーザーの需要に応じて拡充する目的に達するキーボードである。
【００２０】
又、表３から分かるように、該カットキーのキースキャンコードはＥ２以外に組合せキーコードＡＬＴ＋Ｅ、Ｔ、ＣＴＲＬ＋Ｘを添え、或いはＥ２以外に組合せキーコードＳＨＩＦＴ＋ＤＥＬを添える；貼り付けキーのキースキャンコードはＥ２以外に組合せキーコードＣＴＲＬ＋Ｖ或いはＳＨＩＦＴ＋ＩＮＳＥＲＴ、或いはＡＬＴ＋Ｅ，Ｐ（ＡＬＴキーを押したまま、Ｅキーを押す、並びに同時にＡＬＴとＥキーを放した後、Ｐキーを押し、最後にＰキーを放す）を添え；コピーキーのキースキャンコードはＥ２以外に組合せキーコードＡＬＴ＋Ｅ，Ｃ、ＣＴＲＬ＋Ｃ或いはＥ２以外に組合せキーコードＣＴＲＬ＋ＩＮＳＥＲＴを添える；これは市販キーボードが採用する公知の技術とは設計方面では完全に異なる。違うコンピュータの処理速度が異なるため、キーボードコントローラーはショットカットキーが押されるのを検出後、組合せキーコードを送信するスピードは一般キーボードに比べ同じスピードは不可能であり（それはショートカットキーがキー押す、キー放すと再びキー押す状態を模擬する）、本発明の実施例では、ショートカットキーのキーコードとキーコードの間は３．２ミリセカンド（ｍｓ）より大きい間隔を要し、さもないと少数のコンピュータはキーコードの受信漏れが発生し、プログラムの実行ができなくなる。
【００２１】
ここで、やり直し（ｒｅｄｏ）を使い、説明する：
図３に示したとおり：やり直し（ｒｅｄｏ）のキー結構にＥ２以外にＡＬＴ＋Ｅ、Ｒのキースキャンコードを添え、これにより、ＳＥＴ１の場合、全組のスキャンコードはＥ２　３８　１２　Ｂ８　９２　１３　９３　Ｅ２或いはＥ２　３８　１２　Ｂ８　９２　１３　９３。インターセプトスキャンコードプログラムが未インストールの場合は、該オペレーションシステムは全てのＥ２コードを無視し、このときは３８　１２　Ｂ８　９２　１３　９３だけ認められ、編集のコマンドメニューが下方に開き、続いてキースキャンコードを解読し、やり直し（ｒｅｄｏ）の項目を選択し、ショートカットキーの機能に達する。
【００２２】
しかし、使用するユーザーはこの機能が気に入らないときは、インターセプトスキャンコードプログラムを利用し、Ｅ２　３８　１２　Ｂ８　９２　１３　９３　Ｅ２或いはＥ２　３８　１２　Ｂ８　９２　１３　９３を全数インターセプトする、その後ＳＨＥＬＬＥＸＣＵＴ（　）或いはＣＲＥＡＴＥＰＲＯＣＥＳＳの関数方程式により、ファイルの所在及びアプリケーションプログラムファイル名を導入し、その他の機能を実行することができる。
【００２３】
又、図４を参照し、本発明キーボードの好ましい実施例であり、図に示したとおり：
本発明によるキーボード１は、主に一般文字キーと特殊機能キーからなり、そのうち、前記特殊機能キーには、インターネットエリア１１とマルチメディア再生エリア１２とアプリケーションプログラムエリア１３と機能切り替えエリア１４とマウスカット編集エリア１５と電源管理エリア１６とランプ表示エリア１７と数字エリア１８などの八つの機能エリアを含み、且つその内部の電気回路構成のマイクロコンピュータの入出力ポートと接続され、それらのことによって、ユーザーが直接にこのモジュールキーを利用すると共に、Ｅ２を先方案内コードに定義する第七類コード及びスキャンコードインターセプトプログラムを合わせることによって、機能キー切り替えエリアを利用し、Ｅ２の先方案内コードの変換を実行するかを選択により、コンピュータが該キーコードは伝統か或いは非伝統であるかを判別する識別段として供する；これにより、該キーボードは特殊駆動ソフトを要らずに、ショートカットキーの機能を有し、且つ非伝統識別段を選択すると、新しい機能キーを拡充する効果を具し、ユーザーにより軽快な運用や設定できるキーボードを供する目的に達する。（上述八つ機能エリアモジュールキーは、個別或いは同時にキーボード上に設置することができる。）（該機能はさらに他のスタンダードキー或いは独立キーとして設置することができる。）一切り替えキーで制御し、その他の駆動ソフトの支援が要らず、さらに、発光部品を増設し切り替え状態を表示することができる。
【００２４】
本発明のマルチメディアキーボードは前述とおり、スタンダード機能或いはスキャンコードインターセプトプログラムを選択し、機能設定を行い、このキーボードは下記のように実現される：
先ず、キーボードの機能切り替えエリア１４に一主要機能キー（ＦＮ）を設置し、行列対照図のＳ１７、Ｐ９１・Ｒ４、Ｐ６２、（図５及び図６を参照し、それぞれは本発明の電気回路図及び行列対照図である）、該主要機能キー（ＦＮ）は切り替え副機能キーに合わせて、機能の変換を行い、該切り替え副機能キーは元のキーに、“ＥＳＣ”Ｓ１・Ｒ３、Ｐ６１で副機能キー甲を代表し、“Ｆ１”Ｓ２・Ｒ６、Ｐ６３で副機能キー乙を代表する。使い方は：主要機能キー（ＦＮ）を押したまま、副機能キー甲を押し、押し終えた後はキーを放し、続いて主要機能キー（ＦＮ）も放し、このときキーボードコントローラはオペレーションシステムに一識別コードＥ２　Ｅ０　００を送信し、且つキーボードコントローラのキースキャンコードの送信方式を変換し、即ちＦ１、Ｆ２〜Ｆ１２、Ｐｒｉｎｔ　Ｓｃｒｅｅｎ、Ｓｃｒｏｌｌ　Ｌｏｃｋ、Ｐａｕｓｅ等キーを元のスタンダード機能からＥ２の先方案内コードのショートカットキーに転換し、且つキーボード上のランプ表示エリア１７に設置したＦｎ　Ｍｏｄｅ表示ランプは点灯し、だがコンピュータのスクリーン上の指示状態は表示なし、これにより、ユーザーが簡単に現在のＦ１、Ｆ２〜Ｆ１２、Ｐｒｉｎｔ　Ｓｃｒｅｅｎ、Ｓｃｒｏｌｌ　Ｌｏｃｋ、Ｐａｕｓｅ等キーはメーカー設定のショートカット機能であることを知る。もう一度主要機能キー（ＦＮ）を押したまま、副機能キー甲を押し、押し終えた後はキーを放し、続いて主要機能キー（ＦＮ）も放し、このときキーボードコントローラはオペレーションシステムに一重複識別コードＥ２　Ｅ０　００を送信し、これも同様にキーボードコントローラのキースキャンコードの送信方式を変換し、Ｅ２の先方案内コードのショートカットキー機能を元のＦ１、Ｆ２〜Ｆ１２、Ｐｒｉｎｔ　Ｓｃｒｅｅｎ、Ｓｃｒｏｌｌ　Ｌｏｃｋ、Ｐａｕｓｅ等キーのスタンダード機能に転換する。
【００２５】
主要機能キー（ＦＮ）を押したまま、副機能キー乙を押し、押し終えた後はキーを放し、続いて主要機能キー（ＦＮ）も放し、このときキーボードコントローラはオペレーションシステムに一識別コードＥ２　Ｅ０　０１を送信し、且つキーボードコントローラのキースキャンコードの送信方式を変換し、即ちＦ１、Ｆ２〜Ｆ１２、Ｐｒｉｎｔ　Ｓｃｒｅｅｎ、Ｓｃｒｏｌｌ　Ｌｏｃｋ、Ｐａｕｓｅ等キーを元のスタンダード機能からＥ２の先方案内コードのショートカットキーに転換し、且つキーボード上に増設したＦｎ　Ｍｏｄｅ表示ランプは点灯し、だがコンピュータのスクリーン上の指示状態は表示し、このときはインストールされた駆動ソフトは機能を発揮し、全てのＥ２先方案内コードを解読でき、これにより、ユーザーが簡単に現在のＦ１、Ｆ２〜Ｆ１２、Ｐｒｉｎｔ　Ｓｃｒｅｅｎ、Ｓｃｒｏｌｌ　Ｌｏｃｋ、Ｐａｕｓｅ等キーはユーザー定義の状態であることを知る。もう一度主要機能キー（ＦＮ）を押したまま、副機能キー乙を押し、押し終えた後はキーを放し、続いて主要機能キー（ＦＮ）も放し、このときキーボードコントローラはオペレーションシステムに一重複識別コードＥ２　Ｅ０　０１を送信し、これも同様にキーボードコントローラのキースキャンコードの送信方式を変換し、即ちＥ２の先方案内コードのショートカットキー機能を元のＦ１、Ｆ２〜Ｆ１２、Ｐｒｉｎｔ　Ｓｃｒｅｅｎ、Ｓｃｒｏｌｌ　Ｌｏｃｋ、Ｐａｕｓｅ等キーのスタンダード機能に転換する。
【００２６】
また、本発明のキーボードは特殊駆動ソフトを要らずに、ショートカットキーの機能を有し、且つ非伝統識別段を選択すると、新しい機能キーを拡充する効果を具し、ユーザーにより軽快な運用や設定できる。
【００２７】
一種マルチメディアキーボードであり、主に一般文字キー及び特殊機能キーからなり、そのうち、該特殊機能キーはマウスカット編集エリアと、インターネットエリアと、マルチメディア再生エリアと、アプリケーションプログラムエリアと、電源管理エリアと、機能キー切り替えエリアと、ランプ表示エリアと、数字エリアとの八つの機能エリアに分けられ、且つその内部の電気回路構成のマイクロコンピュータの入出力ポートと接続されると共に、Ｅ２を先方案内コードに定義する第七類コード及びスキャンコードインターセプトプログラムを合わせることによって、機能キー切り替えエリアを利用し、Ｅ２の先方案内コードの変換を実行するかを選択することにより、コンピュータが該キーコードは伝統か或いは非伝統であるかを判別する識別段として供する。
【００２８】
これにより、該キーボードは特殊駆動ソフトを要らずに、ショートカットキーの機能を有し、且つ非伝統識別段を選択すると、新しい機能キーを拡充する効果を具し、ユーザーにより軽快な運用や設定を提供する目的に達する。
【００２９】
【発明の効果】
機能服属キー甲と機能服属キー乙の設定は、相互に交わって使用してもよい、即ち主要機能キー（ＦＮ）と機能服属キー甲を使い、ユーザーのキーボード上に直接機能を設定でき、且つ機能をキーボードのオリジナルショートカットキー上に設定できる。
【００３０】
上述をまとめて、本発明の設計に経て、下記複数メリットを有する：
１．主要機能キー（ＦＮ）の使用は直接モジュールキーを利用し、書類の編集或いはコンピュータのコマンド操作を行い、組合せキーの暗記或いはマウス補助は不要である。
２．特殊駆動ソフトの支援が要らず、独立使用でき、ソフトの相容性問題の心配もなく、全てのユーザーが追求する機能である。
３．ユーザーはショートカットキー機能の設定を利用し、任意のプログラムを起動でき、使用上では相当に便利性を有する。
４．Ｅ２は先方案内コードである特性を利用し、ウインドウズシステム（Ｗｉｎｄｏｗｓ（登録商標））を利用しデーターベース登録の機能を予め設定し、さらにウインドウズＷｉｎｄｏｗｓ（登録商標）　ＡＰＩが提供するＳＨＥＬＬＥＸＣＵＴ（　）或いはＣＲＥＡＴＥＰＲＯＣＥＳＳの方程式により、ファイルの所在及びアプリケーションプログラムファイル名を導入することによって、該コントロールキーセットは迅速に書類編集機能及びマルチメディア機能、或いはその他のコントロール機能を有する。
【００３１】
また、本発明は前記の好適な実施の形態を掲載するが、それらの内容は本発明の主張範囲を制限するものではなく、本発明の要旨を逸脱しない範囲内で実施されるすべての改造や変更や一部転用などがすべて本発明の主張範囲内に納入されるべきである。
【００３２】
上述をまとめて、本発明のキーボードはＥ２を先方案内コードとして、さらに組合せキーコードを添え、確かに予期の効果を有し、且つ汎用のオフィスソフト（例えば、Ｗｉｎｄｏｗｓ（登録商標）自体、Ｏｆｆｉｃｅ、Ｗｏｒｋｓ、Ｃｏｒｅｌ　Ｄｒａｗ、Ｐｈｏｔｏ　Ｉｍｐａｃｔなどは実行可能）、ソフトウェアは特別にプログラムをインストールしなくても書類編集が必要とするショートカットキーを実行できる。ユーザーがオペレーションシステムでショートカット機能を設定することに有利し、迅速にＷｏｒｄ、Ｅｘｃｅｌ、Ｐｏｗｅｒ　Ｐｏｉｎｔ、Ｏｕｔｌｏｏｋ、Ｃａｌｃｕｌａｔｏｒ、Ｇａｍｅ……を実行し、且つウインドウズソフトの資源の占有も少なく、需要に応じてショートカットキーの拡充機能を増加でき、予期の効果を十分に発揮できる。
【００３３】
上述をまとめて、単なる本発明の好ましい具体実施例の一つであり、それらの内容は本発明の主張範囲を制限するものではなく、本発明の要旨を逸脱しない範囲内で実施されるすべての改造や変更や一部転用などがすべて本発明の主張範囲内に納入されるべきである。例えば、モジュールキーの中の機能キーは需要に応じてキーボード上に増設することができ、各機能キーは、Ｅ２を先方案内コードとして、さらに各対応する組合せキーを添え、ＳＨＩＦＴ、ＣＴＲＬ、ＡＬＴの変化及び押し、放し、再び押しなどの応用原理に合わせることは、全て本発明の範囲に含む。
【図面の簡単な説明】
【図１】従来のスタンダードキーボードを示す説明図である。
【図２】従来のマルチメディアキーボードを示す説明図である。
【図３】従来のウインドウズキーボードを示す説明図である。
【図４】本発明の好ましい実施例図である。
【図５】本発明の内部電気回路図である。
【図６】本発明の行列対照図である。
【符号の説明】
１　　　キーボード
１１　　　インターネットエリア
１２　　　マルチメディア再生エリア
１３　　　アプリケーションプログラムエリア
１４　　　機能切り替えエリア
１５　　　マウスカット編集エリア
１６　　　電源管理エリア
１７　　　ランプ表示エリア
１８　　　数字エリア
【図１】
2004021633.tif 000006
【図２】
2004021633.tif 000007
【図３】
2004021633.tif 000008
【図４】
2004021633.tif 000009
【図５】
2004021633.tif 000010
【図６】
2004021633.tif 000011